(57)【要約】【課題】熟練を要せずに、パチンコ機に打ち込んだ釘の上下、左右の角度測  定・調整が容易なゲージの提供。【解決手段】長方形の基板２と、その両端に基板２と同一平面上に直角に突設した少なくとも４個の支持脚３と、支持脚３の端部の片面に角度測定面を有する角度測定冶具４が一体に設けられ、互いに平行な少なくとも２つの支持脚３は協同して同一水平を保ち、支持脚３の長さがパチンコ釘の高さよりも長いこと。支持脚３が、更に基板２及び／又は支持脚３の途中にも設けること。【選択図】図１
2006034999.tif 000002
【特許請求の範囲】
【請求項１】
長方形な板体である基板Ａと、その両端に該基板と同一平面上に直角に突設した少なくとも４個の支持脚Ｂと、且つ支持脚Ｂの端部の片面に角度測定面を有する角度測定冶具Ｃが一体に設けられ、しかも互いに平行な少なくとも２つの支持脚Ｂは協同して同一水平を保ち、且つ支持脚Ｂの長さがパチンコ釘の高さよりも長いことを特徴とするパチンコ釘角度測定自在ゲージ。
【請求項２】
該基板と同一平面上に直角に突設した支持脚Ｂが、更に基板Ａ及び／又は支持脚Ｂの途中にも設けられることを特徴とする、請求項１記載のパチンコ釘角度測定自在ゲージ。
【発明の詳細な説明】
【技術分野】
【０００１】
本発明は、パチンコ盤面上に打ち込まれた釘の角度を測定及び調整するためのパチンコ釘角度測定自在ゲージに関するものである。
【背景技術】
【０００２】
パチンコ盤面に打ち込まれた釘は、メーカーから出荷された時点では、バラバラで調整しなければならなかったが、従来は釘師と呼ばれる人間が目と勘を頼りになされていた。
しかし、この勘を養うのには、何年もの歳月と努力を要し、それでも正確に釘を修正することは大変難しかった。
更に、この釘が正確に修正されないと、玉が入賞口へ良く入る台と悪い台とのバラツキができ、かつ同じ台でも上手な人には良く入賞させられるが、下手な人では入賞させにくいという、バラつきも出来てしまう。この様なことで、店の出玉管理を大変難しくさせていた。又、せっかく高価な台を入れても、その台の性能を十分に発揮させることが出来ずに終わらせてしまうことが多かった。
【発明の開示】
【発明が解決しようとする課題】
【０００３】
過去に様々な一般的に角度測定器などと呼ばれるものがあったが、実際の使用に際しては、使いずらいと言わざるを得なかった。なぜなら、パチンコ盤面上に打ち込まれた釘は、一般的には半径１７〜１８ｃｍ位の円周の中に約２００本近く打ち込まれ、その釘の角度は釘々によって同一ではなく、多様化して来ている。
なお、大小様々な役物、チューリップなどと呼ばれる釘の計測上では障害物となる物が多いからである。その中で、実際にパチンコ盤面上に角度測定器と呼ばれるものを当接して、計測すればその当接面自体は物理的に或る程度の面積あるいは大きさが必要になる。
ところが、先のように狭い所へは、その当接面が入り込めないのである。従って、一部の釘は測定可能であっても、大部分の釘の測定は不可能と言わざるを得ない。
【０００４】
また、固定式パチンコ修正ゲージ（本出願人に係る実願登録第３０４２６６３号）等を用いて修正を行ってきたが、パチンコ台の機種毎に盤面上の夫々の特定部分において、様々な釘の角度が求められる多様化の中で、従来の技術では２ヶ所しか測定面をもたなかったために、角度の異なる幾つかのゲージを作成して、これに当たらなければならなく、また、ゲージの支持脚がパチンコ盤面上に突設された役物、釘等に当たってしまうため、これを回避するため大小幾つものゲージを使用し、自ずと使いづらいものとなっている。
【課題を解決するための手段】
【０００５】
そこで、本発明者は種々検討した結果、本発明のゲージにより、パチンコ遊技業者及びお客にとって有利なパチンコ台が偏らないように多くのお客様に万遍なく楽しんで頂くように、経験の浅い管理者でも短時間で技術を収得することができ、パチンコ機に打ち込まれた釘を誰にでも簡単に測定、修正ができ、パチンコ機の本来の性能を十分発揮できることを見出し、本発明を完成するに至った。
【０００６】
即ち、本発明は、（ｉ）長方形な板体である基板２と、その両端に該基板２と同一平面上に直角に突設した支持脚３ａ、３’ａ；３ｂ、３’ｂと、且つ支持脚の端部の片面に角度測定面を有する角度測定冶具４ａ、４’ａ；４ｂ、４’ｂが一体に設けられ、しかも互いに平行な２つの支持脚３ａ、３ｂ；３’ａ、３’ｂは協同して同一水平を保ち、且つ支持脚の長さがパチンコ釘の高さよりも長いパチンコ釘角度測定自在ゲージであること（図１参照）。（ｉｉ）該基板２と同一平面上に直角に突設した支持脚が、更に基板Ａ及び／
又は支持脚Ｂの途中にも設けられるパチンコ釘角度測定自在ゲージであること（図４、５参照）に特徴を有する。
【発明の効果】
【０００７】
（１）パチンコ遊技業者及びお客様が、共に楽しく何処のパチンコ台でもむら、片寄りなく正常にそのパチンコ機本来の性能を十分発揮し、お客様にとって公平に、業者にとってはパチンコ台管理をベストな状態に運営し得るパチンコ釘角度測定自在ゲージを提供する。
（２）パチンコ台の機種毎に盤面上のそれぞれの特定部分において、様々な釘の角度が求められる多様化の中で、本発明のゲージによると、希望する様々な角度に釘を手早く、初心者にも簡単に精度の高い測定、調整結果を提供できる。
（３）本発明のゲージは、構造的にもシンプルで、生産コストを控えながら高精度の測定、調整結果が得られる。
【発明を実施するための最良の形態】
【０００８】
以下、本発明を図面に基づいて説明する。
図１に於て、ゲージ本体１の基板２に間隔を開けて、支持脚３ａ、３’ａ、３ｂ、３’ｂを４ヶ所に突設し、夫々の端部の片面に角度測定治具４ａ、４’ａ；４ｂ、４’ｂを一体に設けると、ゲージ本体１で４ヶ所等の希望する計測面を計測することが可能となる。
図２に於て、ゲージ本体１の基板２に間隔を開けて、支持脚３ａ、３’ａ、３ｂ、３’ｂを４ヶ所に突設し、夫々の端部に角度測定治具４ａ、４ｂ；４’ａ、４’ｂ；４ｃ、４ｄ；４’ｃ、４’ｄを一体に設けると、１体のゲージで８ヶ所等の希望する計測面を計測することが可能となる。
図３に示されるように、ゲージ１の角度測定冶具４の角度測定面によって釘７の角度調整又は測定を行う。
【０００９】
図４に於て、ゲージ本体１の基板２に間隔を開けて、支持脚３を６ヶ所設け、夫々の端部に角度測定治具４をその片面に一体に設けると、１体のゲージで６ヶ所の希望する計測面を計測することが可能となる。
図５に於て、ゲージ本体１の基板２及び支持脚３上に夫々間隔を開けて、更に支持脚３を８ヶ所等設け、夫々の端部に角度測定治具４を両面に一体に設けると、１６ヶ所の希望する計測面を計測することが可能となる。
図にはないが、ゲージ本体１の基板２或いは支持脚３上に支持脚を更に増すことによって、計測面も増すことが可能である。
【産業上の利用可能性】
【００１０】
本発明によれば、熟練を要することなくパチンコ機に打ち込んだ釘の上下及び左右の角度測定及び調整が可能であり、パチンコ業界において店の収益と共に客の満足感を共に達成することができ、更に、パチンコの遊戯性を高めることができる。
【図面の簡単な説明】
【００１１】
【図１】基板２の両端に４つの支持脚３が基板２に直角に延び突設され、その支持脚３の端部の片面に夫々２個づつの釘角度測定冶具４が一体に設けられている模式図である。
【図２】基板２の両端に４つの支持脚３が基板２に直角に延び突設され、その支持脚３の端部の両面に夫々４個づつの釘角度測定冶具４が一体に設けられている模式図である。
【図３】図２のゲージの上方支持脚３ａをパチンコ盤面８に垂直方向に当接して、釘７の角度を測定・修正する状態を示す図である。
【図４】図１のゲージにおいて、更に基板２の途中に２つの釘角度測定冶具付き支持脚３ｂ、３’ｂを基板２に直角に設けた図である。
【図５】基板２の両端に基板２に直角に夫々２つの釘角度測定冶具付き支持脚３ａ、３ｂ；３’ａ、３’ｂを設け、更に該両端の支持脚の途中に支持脚に直角に２個づつの釘角度測定冶具付き支持脚３ｃ、３ｄ；３’ｃ、３’ｄを設けた図である。
【符号の説明】
【００１２】
１  ゲージ
２  基板
３  支持脚
４  釘角度測定冶具
６  当接面
７  釘
８  パチンコ盤面
【図１】
2006034999.tif 000003
【図２】
2006034999.tif 000004
【図３】
2006034999.tif 000005
【図４】
2006034999.tif 000006
【図５】
2006034999.tif 000007